【手続補正書】
【提出日】令和3年7月1日(2021.7.1)
【手続補正１】
【補正対象書類名】特許請求の範囲
【補正対象項目名】全文
【補正方法】変更
【補正の内容】
【特許請求の範囲】
【請求項１】
液体（２）を噴霧するためのネブライザ（１）であって、
前記液体（２）の多様な用量を収容する容器（３）と、
前記容器（３）から前記液体（２）の用量を引き出して噴霧のためにそれぞれの該用量を加圧するための流体ポンプ（５）と、
前記容器（３）内の前記液体（２）を加圧して該容器（３）から前記液体（２）を用量単位で引き出すことを支援するための空気ポンプ（３０）と、を含み、
前記ネブライザ（１）又は前記空気ポンプ（３０）は、前記容器（３）内の前記液体（２）に対して作用する前記空気圧を前記周囲圧力（ＰＡ）よりも高い最大値に該液体（２）による該容器（３）の充填レベルとは独立に制限する制御弁（４４）を含む、
ことを特徴とするネブライザ（１）。
【請求項２】
前記制御弁（４４）は、前記空気ポンプ（３０）内の前記空気圧が前記周囲圧力（ＰＡ）よりも高い第１の最大値（Ｐ１）を超過した時に自動的に開くようになっていることを特徴とする請求項１に記載のネブライザ。
【請求項３】
前記制御弁（４４）は、前記空気ポンプ（３０）内の前記空気圧が前記周囲圧力（ＰＡ）よりも高い第２の最大値（Ｐ２）まで低下するか又はそれに対応する時に自動的に閉じるようになっていることを特徴とする請求項２に記載のネブライザ。
【請求項４】
前記ネブライザ（１）又は前記空気ポンプ（３０）は、該空気ポンプ（３０）又はそのポンプチャンバ（３９）内のいずれの不足圧力も防止する、及び／又は該空気ポンプ（３０）内の前記空気圧が前記周囲圧力（ＰＡ）よりも低い時に自動的に開くようになっている、かつ該空気ポンプ（３０）内の該空気圧が該周囲圧力（ＰＡ）まで増大する又はそれに対応する時に自動的に閉じるようになっている入口弁（４３）を含むことを特徴とする請求項１から請求項３のいずれか一項に記載のネブライザ。
【請求項５】
前記制御弁（４４）及び前記入口弁（４３）は、一体的に形成される、及び、同じ弁（４０）又は弁要素（４２）によって形成される、の少なくとも１つであることを特徴とする請求項４に記載のネブライザ。
【請求項６】
前記制御弁（４４）、特に弁（４０）が、ドーム状形状であることを特徴とする請求項１から請求項５のいずれか一項に記載のネブライザ。
【請求項７】
前記制御弁（４４）、特に弁（４０）が、ダックビル弁として具現化されることを特徴とする請求項１から請求項５のいずれか一項に記載のネブライザ。
【請求項８】
前記制御弁（４４）、特に弁（４０）が、可撓性部分（４２Ａ）を含むことを特徴とする請求項１から請求項７のいずれか一項に記載のネブライザ。
【請求項９】
前記可撓性部分（４２Ａ）は、周囲空気が前記空気ポンプ（３０）に流入することを可能にするために該空気ポンプ（３０）の前記内部に向けて開くようになっており、及び／又は
前記部分（４２Ａ）は、空気が該空気ポンプ（３０）から流出することを可能にするために該空気ポンプ（３０）の前記内部から外に開くようになっている、
ことを特徴とする請求項８に記載のネブライザ。
【請求項１０】
前記空気ポンプ（３０）は、前記ネブライザ（１）のハウジング（１９）内の前記容器（３）の相対移動によって作動されることを特徴とする請求項１から請求項９のいずれか一項に記載のネブライザ。
【請求項１１】
前記容器（３）は、液体（２）の用量を引き出す時、及び、該液体（２）の用量を加圧する又は分配する時、の少なくとも１つの時に、前記ネブライザ（１）内で好ましくはストローク的に移動可能である、
ことを特徴とする請求項１から請求項１０のいずれか一項に記載のネブライザ。
【請求項１２】
前記ネブライザ（１）の使用中に、前記空気ポンプ（３０）及び前記流体ポンプ（５）は交互に加圧することを特徴とする請求項１から請求項１１のいずれか一項に記載のネブライザ。
【請求項１３】
前記空気ポンプ（３０）は、前記容器（３）内の前記液体（２）に対して作用する前記空気圧を低減する圧力軽減手段（６０）を含み、該圧力軽減手段（６０）は、前記ネブライザ（１）内の該容器（３）の位置に依存して自動的に開くようになっており、前記圧力軽減手段（６０）は、前記空気ポンプ（３０）に一体化されたバイパスチャネルとして具現化されることを特徴とする請求項１から請求項１２のいずれか一項に記載のネブライザ。
【請求項１４】
前記空気ポンプ（３０）は、前記容器（３）から前記液体（２）を用量単位で引き出すことを支援するために空気をポンピングするためのピストン／シリンダ配置を含む又は形成する、及び、
前記空気ポンプ（３０）は、ポンプピストン（３１）及びシリンダ（３２）を含み、該ポンプピストン（３１）は、該シリンダ（３２）内で軸線方向に移動可能である、
の少なくとも１つであることを特徴とする請求項１から請求項１３のいずれか一項に記載のネブライザ。
【請求項１５】
前記容器（３）は、前記液体（２）を収容する圧壊可能バッグ（４）を含むことを特徴とする請求項１から請求項１４のいずれか一項に記載のネブライザ。
【請求項１６】
前記容器（３）は、剛性ケーシング（２０）と該ケーシング（２０）内で移動可能な流体ピストン（２８）とを含むことを特徴とする請求項１から請求項１４のいずれか一項に記載のネブライザ。
【請求項１７】
前記流体ピストン（２８）及び前記ケーシング（２０）は、前記液体（２）を収容する容積（４）を形成し、該容積（４）は、該ケーシング（２０）内の該流体ピストン（２８）の軸線方向移動によって縮小される又は縮小可能であることを特徴とする請求項１６に記載のネブライザ。
【請求項１８】
前記流体ピストン（２８）は、特に前記制御弁（４４）、前記入口弁（４３）、及び前記弁（４０）の少なくとも１つを受け入れるための（第１の）中心凹部（２８Ａ）を前記容積（４）から外に向く側に含む、及び、
前記流体ピストン（２８）は、（第２の）中心凹部（２８Ｂ）を前記容積（４）に向く側に含む、
の少なくとも１つであることを特徴とする請求項１６又は請求項１７に記載のネブライザ。
【請求項１９】
前記空気ポンプ（３０）は、前記容器（３）に配置される又は該容器（３）と分離不能なアセンブリを形成することを特徴とする請求項１から請求項１８のいずれか一項に記載のネブライザ。
【請求項２０】
液体（２）を噴霧するためのネブライザ（１）であって、
前記液体（２）の多様な用量を収容する容器（３）と、
前記容器（３）から前記液体（２）の用量を引き出して噴霧のためにそれぞれの該用量を加圧するための流体ポンプ（５）と、
前記容器（３）内の前記液体（２）を加圧して該容器（３）から前記液体（２）を用量単位で引き出すことを支援するための空気ポンプ（３０）と、を含み、
前記ネブライザ（１）又は前記空気ポンプ（３０）は、前記容器（３）内の前記液体（２）に対して作用する前記空気圧を低減する圧力軽減手段（６０）を含み、該圧力軽減手段（６０）は、前記ネブライザ（１）内の該容器（３）の位置に依存して自動的に開くようになっている、
ことを特徴とするネブライザ。
【請求項２１】
前記圧力軽減手段（６０）は、過剰圧力弁であることを特徴とする、請求項２０に記載のネブライザ。
【請求項２２】
前記空気ポンプ（３０）は、前記容器（３）から前記液体（２）を用量単位で引き出すことを支援するために空気をポンピングするためのピストン／シリンダ配置を含む又は形成し、及び／又は
前記空気ポンプ（３０）は、ポンプピストン（３１）及びシリンダ（３２）を含み、該ポンプピストン（３１）は、該シリンダ（３２）内で軸線方向に移動可能である、
ことを特徴とする、請求項２０に記載のネブライザ。
【請求項２３】
前記圧力軽減手段（６０）は、前記シリンダ（３２）内の前記ポンプピストン（３１）の（軸線方向）位置に依存して自動的に開くようになっていることを特徴とする請求項２２に記載のネブライザ。
【請求項２４】
前記圧力軽減手段（６０）は、前記空気ポンプ（３０）、特にそのポンプピストン（３１）又はシリンダ（３２）に一体化されたバイパスチャネルとして具現化されることを特徴とする請求項２０，２２及び２３のいずれか一項に記載のネブライザ。
【請求項２５】
前記容器（３）は、置換可能であり、前記ネブライザ（１）は、前記ネブライザ（１）から切り離すことができる、又は、前記容器（３）を挿入する又は置換するために開くことができる、ハウジング部分（１８）を含むことを特徴とする、請求項１から２４のいずれか一項に記載のネブライザ。
【請求項２６】
前記ネブライザ（１）、特に前記容器（３）は、該容器（３）の軸線方向端部を密封するシール（２６）を含むことを特徴とする請求項１から請求項２５のいずれか一項に記載のネブライザ。
【請求項２７】
前記シール（２６）は、前記弁（４０）、前記入口弁（４３）、及び／又は前記制御弁（４４）に向く側で特に凹面に湾曲し、及び／又は
前記シール（２６）は、（第１の）中心凹部（２８Ａ）を含む、
ことを特徴とする請求項２２に記載のネブライザ。
【請求項２８】
前記ネブライザ（１）、特に前記空気ポンプ（３０）又は前記ハウジング部分（１８）は、前記シール（２６）を開口するようになった開口デバイス（５５）を含む又は形成することを特徴とする請求項２６又は請求項２７に記載のネブライザ。
【請求項２９】
前記開口デバイス（５５）は、前記シール（２６）を穿通するために少なくとも１つの開口要素（５６）を含み、
好ましくは、該開口要素（５６）は、
スパイクとして具現化される、及び
ネブライザ（１）の前記中心軸（Ａ）及び前記制御弁（４３）の少なくとも１つから半径方向に離間している、
の少なくとも１つであることを特徴とする請求項２８に記載のネブライザ。
【請求項３０】
ネブライザ（１）によって噴霧するための液体（２）の多様な用量を収容する容器（３）であって、
前記容器（３）が、前記容器（３）から前記液体（２）の用量を引き出すことを支援するために前記容器（３）内の前記液体（２）を加圧するための空気ポンプ（３０）を前記容器（３）内に含み、
前記空気ポンプ（３０）が、ポンプピストン（３１）及び該ポンプピストン（３１）と協働するシリンダ（３２）を含み、
前記容器（３）、前記空気ポンプ（３０）又は前記ポンプピストン（３１）は、前記容器（３）内の前記液体（２）に対して作用する前記空気圧の制限、及び、該空気ポンプ（３０）又はそのポンプチャンバ（３９）内のいずれの不足圧力の防止、の少なくとも１つを行うための弁（４０）を含む、
ことを特徴とする容器（３）。
【請求項３１】
前記空気ポンプ（３０）は、前記ポンプピストン（３１）と前記容器（３）の圧壊可能容積（４）との間に配置された伸縮バネ（３６）を含むことを特徴とする請求項３０に記載の容器。
【請求項３２】
前記容器（３）、前記空気ポンプ（３０）又は前記ポンプピストン（３１）は、該ポンプピストン（３１）を作動させるための作動要素（５１）を含むことを特徴とする請求項３０又は請求項３２に記載の容器。
【請求項３３】
ネブライザ（１）によって噴霧するための液体（２）の多様な用量を収容する容器（３）であって、
前記容器（３）が、前記容器（３）から前記液体（２）の用量を引き出すことを支援するために前記容器（３）内の前記液体（２）を加圧するための空気ポンプ（３０）を前記容器（３）内に含み、
前記空気ポンプ（３０）が、ポンプピストン（３１）及び伸縮バネ（３６）を含む、
前記伸縮バネ（３６）は、前記ポンプピストン（３１）と前記容器（３）の圧壊可能容積（４）との間に配置される、
ことを特徴とする容器（３）。
【請求項３４】
前記容器（３）、前記空気ポンプ（３０）又は前記ポンプピストン（３１）は、前記容器（３）内の前記液体（２）に対して作用する前記空気圧の制御又は制限、及び、該空気ポンプ（３０）又はそのポンプチャンバ（３９）内のいずれの不足圧力の防止、の少なくとも１つを行うための弁（４０）を含むことを特徴とする請求項３３に記載の容器。
【請求項３５】
前記容器（３）、前記空気ポンプ（３０）又は前記ポンプピストン（３１）は、該ポンプピストン（３１）を作動させるための作動要素（５１）を含むことを特徴とする請求項３３又は請求項３４に記載の容器。
【請求項３６】
ネブライザ（１）によって噴霧するための液体（２）の多様な用量を収容する容器（３）であって、
前記容器（３）が、前記容器（３）から前記液体（２）の用量を引き出すことを支援するために前記容器（３）内の前記液体（２）を加圧するための空気ポンプ（３０）を前記容器（３）内に含み、
前記空気ポンプ（３０）が、ポンプピストン（３１）及び該ポンプピストン（３１）と協働するシリンダ（３２）を含み、
前記容器（３）、前記空気ポンプ（３０）又は前記ポンプピストン（３１）は、該ポンプピストン（３１）を作動させるための作動要素（５１）を含む、
ことを特徴とする容器（３）。
【請求項３７】
前記容器（３）、前記空気ポンプ（３０）又は前記ポンプピストン（３１）は、前記容器（３）内の前記液体（２）に対して作用する前記空気圧の制御又は制限、及び、該空気ポンプ（３０）又はそのポンプチャンバ（３９）内のいずれの不足圧力の防止、の少なくとも１つを行うための弁（４０）を含むことを特徴とする請求項３６に記載の容器。
【請求項３８】
前記容器（３）が、前記ポンプピストン（３１）と前記容器（３）の圧壊可能容積（４）との間に配置された伸縮バネ（３６）を含むことを特徴とする請求項３６又は請求項３７に記載の容器。
【請求項３９】
前記容器（３）が、剛性ケーシング（２０）とそこで移動可能で前記容器（３）の容積（４）を形成する流体ピストン（２８）とを含み、該容積（４）は、該ケーシング（２０）内の該流体ピストン（２８）の軸線方向移動によって縮小される又は縮小可能であることを特徴とする請求項３０から請求項３８のいずれか一項に記載の容器。
【請求項４０】
前記弁（４０）は、前記容器（３）内の前記液体（２）に対して作用する前記空気圧を前記周囲圧力（ＰＡ）よりも高い最大値に該液体（２）による前記容器（３）の充填レベルとは独立に制限する制御弁（４４）を含む又は形成することを特徴とする請求項３０から請求項３９のいずれか一項に記載の容器。
【請求項４１】
前記弁（４０）は、前記空気ポンプ（３０）又はそのポンプチャンバ（３９）内のいずれの不足圧力も防止する入口弁（４３）を含む又は形成することを特徴とする請求項３０から請求項４０のいずれか一項に記載の容器。
【請求項４２】
前記容器（３）が、前記伸縮バネ（３６）の一端の保持、及び、前記容器（３）の流体ピストン（２８）のための軸線方向止め具の形成、の少なくとも１つを行う担持部分（３７）を含むことを特徴とする請求項３０から請求項４１のいずれか一項に記載の容器。
【請求項４３】
前記液体（２）の多様な用量を収容する好ましくは置換可能な容器（３）と、
前記容器（３）から前記液体（２）の用量を引き出して噴霧のためにそれぞれの該用量を加圧するための流体ポンプ（５）と、
前記ネブライザ（１）から切り離すことができる又は前記容器（３）を挿入する又は置換するために開くことができる好ましくはハウジング部分（１８）と、を含み、
前記容器（３）は、請求項３０から請求項４２のいずれか一項に従って構成される、
ことを特徴とする、好ましくは請求項１又は請求項１９に記載の液体（２）を噴霧するためのネブライザ（１）。